(57)【要約】本発明は、マッサージクッションに関し、より詳しくは、人体の腰、背部、首などをマッサージクッションに密着させた状態で、クッションボディの内部で弾性部材内に設けられた振動器が、ボタンの操作がなされたときに制御部により適宜なリズムでマッサージ片を昇降させるようにすることで、密着部位を弾性力によってマッサージできるようにするマッサージクッションに関する。
2005525872.tif 000002
【特許請求の範囲】
【請求項１】
緩衝材からなり、一側密着面に開放されている溝が少なくとも２つ以上設けられているクッションボディと、
前記クッションボディ内に係合され、前記複数の溝それぞれの入口端に位置する弾性部材と、
前記溝に挿設され、前記弾性部材に連結され、マッサージ片を昇降させる複数の振動器と、
前記クッションボディに組み込まれ、前記クッションボディから露出されたボタンの操作により前記振動器を制御する制御部とを備えたことを特徴とするマッサージクッション。
【請求項２】
前記クッションボディ及び前記振動器が外皮で包み込まれていることを特徴とする請求項１に記載のマッサージクッション。
【請求項３】
前記外皮の一側に羽根片を設け、この羽根片の内部に操作を遂行するためのボタンを設けていることを特徴とする請求項１又は２に記載のマッサージクッション。
【請求項４】
前記弾性部材及びクッションボディの密着面は、人体の腰や首などの部位に密着するものであることを特徴とする請求項１に記載のマッサージクッション。
【請求項５】
前記振動器は、ケーシング内に設けられたボビンと、前記ボビンの磁力により昇降される昇降軸と、前記昇降軸の上端に設けられるマッサージ片とを含むことを特徴とする請求項１に記載のマッサージクッション。
【発明の詳細な説明】
【技術分野】
【０００１】
本発明は、マッサージクッションに関し、より詳しくは、人体の腰、背部、首などをマッサージクッションに密着させた状態で、クッションボディの内部で弾性部材内に設けられた振動器が、ボタンの操作がなされたときに制御部により適宜なリズムでマッサージ片を昇降させるようにすることで、密着部位を弾性力によってマッサージできるようにするマッサージクッションに関する。
【背景技術】
【０００２】
一般に、マッサージ機は、椅子の内部に複数の振動器が設けられており、スイッチ操作によって前記振動器を操作して、人体をマッサージするようになっている。
【０００３】
最近では、枕に振動機能を持たせたものが示されている。これは、枕内に組み込まれた偏心錘を回転させて、振動トルクを発生するようにし、この振動で人体の疲労を取るようにしたものである。
【０００４】
また、上述したような振動力を車両のヘッドレストに適用し、それによって運転者の首などを支持することで、運転者の疲労を取ることも可能となる。
【０００５】
しかしながら、上述したようなマッサージは、振動のみで人体の疲労を取るようになっており、いわゆるパットマッサージ効果を奏することができない。
【発明の開示】
【発明が解決しようとする課題】
【０００６】
本発明は、上記問題点を解消するマッサージクッションを提供することを目的とするものであり、一般家庭で使用される枕を含み、人体の腰の後方を支持するか、または椅子の背部で人体の腰の後方を支持するようにして人体の腰を楽にするようになされたクッションなどの内部に複数の振動器を設け、これら振動器が弾性部材の弾性力と共にマッサージ片を昇降させて、人体の腰、背部、首などをパットマッサージできるようにするマッサージクッションを提供することを目的とする。
【課題を解決するための手段】
【０００７】
上記目的を達成するために、本発明によるマッサージクッションは、緩衝材からなり、一側密着面に開放されている溝が少なくとも２つ以上設けられているクッションボディと、前記クッションボディ内に係合され、前記複数の溝それぞれの入口端に位置する弾性部材と、前記溝に挿設され、前記弾性部材に連結され、マッサージ片を昇降させる複数の振動器と、前記クッションボディに組み込まれ、前記クッションボディから露出されたボタンの操作により前記振動器を制御する制御部とを備えたことを特徴とする。
また、前記クッションボディ及び前記振動器が外皮で包み込まれている。
また、前記外皮の一側に羽根片を設け、この羽根片の内部に操作を遂行するためのボタンを設けている。
また、前記弾性部材及びクッションボディの密着面は、人体の腰や首などの部位に密着するものである。
また、前記振動器は、ケーシング内に設けられたボビンと、前記ボビンの磁力により昇降される昇降軸と、前記昇降軸の上端に設けられるマッサージ片とを含む。
【発明の効果】
【０００８】
本発明によるマッサージクッションによれば、椅子の背部で人体の腰や背部を支えるクッションなどの内部に、マッサージ片が昇降することでマッサージするような複数の振動器を備えることで、どこでも簡易にマッサージを行うことができる。
【０００９】
また、緩衝材からなるクッションと弾性部材とが柔軟であり、緩衝材からなるクッションボディと弾性部材とが振動器のマッサージ片とともに、マッサージを必要とする人体の部位(ふくら脛、腰、首、腿、腹、肩など)に密着することができ、より効率的なマッサージが実現される。
【発明を実施するための最良の形態】
【００１０】
以下、本発明によるマッサージクッションの好ましい実施の形態を、添付図面に基づいて詳しく説明する。
【００１１】
本発明にあっては、緩衝材からなるクッションボディ１００と、弾性力を有する弾性部材２００と、クッションボディ１００の内部に設けられ、弾性部材２００の弾性力でマッサージ動作を行う振動器３００とを備えている。
【００１２】
クッションボディ１００は緩衝材からなる。一側密着面は、人体の腰、背部、首などをしっかりと包み込む状態とする弧状の密着溝１２０が形成されている。密着溝１２０には、開放されている溝１１０が少なくとも２つ以上設けられている。
【００１３】
緩衝材はスポンジ状とされ、複数部材を一体化したもの又は板状のものが可能であり、更には、最近利用されている緩衝型の形状記憶素材が用いられても良い。
【００１４】
弾性部材２００は、弾性力を有するバンド状のものが一対備えられる。弾性部材２００のそれぞれ両端がクッションボディ１００の密着溝１２０に沿って密着され、クッションボディ１００内に係合され、密着溝１２０に形成された溝１１０の入口端が所定の幅だけ露出されるようにカバーして位置している。
【００１５】
ここで、弾性部材２００は、溝１１０の入口端全体をカバーして設けられても良い。
【００１６】
振動器３００はそれぞれ溝１１０に挿設され、弾性部材２００に連結され、電力の付与により露出されたマッサージ片３１０を振動させる。
【００１７】
つまり、各振動器３００は、公知の振動器と同形状のケーシング３２０と、ボビン３３０と、昇降軸３４０と、マッサージ片３１０とを含む。
【００１８】
ケーシング３２０は、ボビン３３０を収容し、折り曲げられた外側上端に弾性部材２００の間に固定されるように折り曲げされたブラケットが設けられる。
【００１９】
ボビン３３０は、電力の付与による磁力の変化により、中央垂直溝に挿設された昇降軸３４０を昇降させるようになっている。
【００２０】
昇降軸３４０は、上端にマッサージ片３１０を備え、マッサージ辺３１０の昇降時に人体の所定部位を叩く。
【００２１】
制御部４００は、クッションボディ１００に組み込まれ、ボタン操作に従って振動器３００をオン/オフする。
【００２２】
また、クッションボディ１００の外表面は外皮１３０で包み込まれており、外皮１３０は振動器３００のマッサージ片３１０をも包み込むようになっている。
【００２３】
さらに、外皮１３０の一側には、所定の大きさの羽根片１４０が設けられ、羽根片１４０の内部にはボタン４１０が設けられ、制御部４００に信号値を出力する。
【００２４】
以上のように構成されるマッサージクッションの組み立て及び使用状態を添付図面を参照して詳しく説明すると、次の通りである。
【００２５】
本発明によるマッサージクッションの作製及び組み立て時には、図１乃至図３に示すように、緩衝材からなるクッションボディ１００に弧状の密着部が形成される。上述した密着面に上方に開放されている複数の溝１１０が形成される。クッションボディ１００内には、弾性部材２００が左右一対に複数の溝１１０の入口端に位置するように固定される。複数の溝１１０に挿設された振動器３００のケーシング３２０の外側ブラケットが弾性部材２００の間に連結固定されるようにし、制御部４００がクッションボディ１００の内部に組み込まれ、次いで、これら構成部品が外皮１３０で被覆されると、マッサージクッションの作製及び組み立てが終了する。
【００２６】
マッサージクッションの使用時には、先ず、人体の腰、背部、首などに弧状の密着溝１２０を密着させた後、外皮１３０の羽根片１４０に設けられたボタン４１０を押す。ボタン４１０のオン操作によって振動器３００が操作され、これにより振動器３００のマッサージ片３１０が昇降して、人体の密着部位をパットマッサージすることになる。
【００２７】
以上のように、上記実施の形態を参照して詳細に説明され図示されたが、本発明は、これに限定されるものでなく、このような本発明の基本的な技術的思想を逸脱しない範囲内で、当業界の通常の知識を有する者にとっては、他の多くの変更が可能であろう。また、本発明は、添付の特許請求の範囲により解釈されるべきであることは言うまでもない。
【図面の簡単な説明】
【００２８】
【図１】本発明によるマッサージクッションの側断面図である。
【図２】図２の正面図である。
【図３】使用状態を説明するための図１のＣ−Ｃ線断面図である。
【図１】
2005525872.tif 000003
【図２】
2005525872.tif 000004
【図３】
2005525872.tif 000005
【手続補正書】
【提出日】平成17年2月18日(2005.2.18)
【手続補正１】
【補正対象書類名】特許請求の範囲
【補正対象項目名】全文
【補正方法】変更
【補正の内容】
【特許請求の範囲】
【請求項１】
緩衝材からなり、一側密着面に開放されている溝が少なくとも２つ以上設けられているクッションボディと、
前記クッションボディ内に係合され、前記複数の溝それぞれの入口端に位置する弾性部材と、
前記溝に挿設され、前記弾性部材に連結され、マッサージ片を昇降させる複数の振動器と、
前記クッションボディに組み込まれ、前記クッションボディから露出されたボタンの操作により前記振動器を制御する制御部とを備えて、
前記クッションボディ及び前記振動器が外皮で包み込まれて、前記外皮の一側に羽根片を設け、この羽根片の内部に操作を遂行するためのボタンを設けることを特徴とするマッサージクッション。
【請求項２】
前記弾性部材及びクッションボディの密着面は、人体の腰や首などの部位に密着するものであることを特徴とする請求項１に記載のマッサージクッション。
【請求項３】
前記振動器は、ケーシング内に設けられたボビンと、前記ボビンの磁力により昇降される昇降軸と、前記昇降軸の上端に設けられるマッサージ片とを含むことを特徴とする請求項１に記載のマッサージクッション。
【手続補正２】
【補正対象書類名】明細書
【補正対象項目名】０００７
【補正方法】変更
【補正の内容】
【０００７】
上記目的を達成するために、本発明によるマッサージクッションは、緩衝材からなり、一側密着面に開放されている溝が少なくとも２つ以上設けられているクッションボディと、前記クッションボディ内に係合され、前記複数の溝それぞれの入口端に位置する弾性部材と、前記溝に挿設され、前記弾性部材に連結され、マッサージ片を昇降させる複数の振動器と、前記クッションボディに組み込まれ、前記クッションボディから露出されたボタンの操作により前記振動器を制御する制御部とを備えて、前記クッションボディ及び前記振動器が外皮で包み込まれて、前記外皮の一側に羽根片を設け、この羽根片の内部に操作を遂行するためのボタンを設けることを特徴とする。
また、前記弾性部材及びクッションボディの密着面は、人体の腰や首などの部位に密着するものである。
また、前記振動器は、ケーシング内に設けられたボビンと、前記ボビンの磁力により昇降される昇降軸と、前記昇降軸の上端に設けられるマッサージ片とを含む。
【手続補正３】
【補正対象書類名】明細書
【補正対象項目名】００２８
【補正方法】変更
【補正の内容】
【００２８】
【図１】本発明によるマッサージクッションの側断面図である。
【図２】本発明によるマッサージクッションの正面一部断面図である。
【図３】使用状態を説明するための図２のＣ−Ｃ線断面図である。
【国際調査報告】
2005525872.tif 000006
2005525872.tif 000007